(57)【要約】【課題】小型軽量で、吸口体の被掃除面に開口する幅を長くすること、吸口体の端部付近の前後幅が細く使い易い吸口体を備えた電気掃除機を提供する。【解決手段】回転清掃体１０４の一端側には、清掃部材カバー１０５、軸受を内蔵する軸受ユニット部３１５とその外側に電動機１０５からの駆動力を伝達するプーリーを配置し、軸受ユニット３１５を吸口体の軸受支持部材１０１ａと軸受押さえ部材３１６によって支持し、吸口体の上下ケースとで閉空間を構成したことにより達成される。【選択図】　図１
2004016605.tif 000002
【特許請求の範囲】
【請求項１】
電動送風機と集塵部とを有する掃除機本体と、被掃除面に対面する開口部を有して前記集塵部に連通する吸口体とを備え、前記吸口体内に回転清掃体と、前記回転清掃体を駆動するための電動機を備え、
前記回転清掃体は、筒状の基体とこの基体の外表面から突出するように設けられた清掃部材とを有し、
前記回転清掃体の一端側には、前記清掃部材の位置決めをする清掃部材カバー、軸受を内蔵する軸受ユニット部とその外側に前記電動機からの駆動力を伝達するプーリーを配置し、前記プーリーと前記筒状基体とをシャフトにより勘合して固定したことを特徴とする電気掃除機。
【請求項２】
請求項１において、
前記軸受ユニット部を吸口体の軸受支持部材と軸受押さえ部材によって支持したことを特徴とする電気掃除機。
【請求項３】
請求項１において、
前記軸受ユニット部を吸口体の軸受支持部材と軸受押さえ部材によって支持し、前記電動機の回転出力軸と前記回転清掃体の一端との間にある伝達手段を、前記吸口体の軸受支持部材と前記軸受押さえ部材とで底面閉空間を構成したことを特徴とする電気掃除機。
【請求項４】
電動送風機と集塵部とを有する掃除機本体と、被掃除面に対面する開口部を有して前記集塵部に連通する吸口体とを備え、前記吸口体内に回転清掃体と、前記回転清掃体を駆動するための電動機を備え、
前記電動機の回転出力軸と前記回転清掃体の一端との間にある伝達手段を前記吸口体の軸受支持部材と前記軸受押さえ部材とで底面閉空間を構成し、前記軸受押さえ部材に回転可能に保持され、且つ、前記軸受押さえ部材を前記吸口本体に着脱可能に保持させるロック部材とを備え、
前記軸受押さえ部材と前記吸口本体を前記ロック部材のフランジ面にて着脱可能にしたことを特徴とする電気掃除機。
【発明の詳細な説明】
【０００１】
【発明の属する技術分野】
本発明は電気掃除機に関する。
【０００２】
【従来の技術】
従来の電気掃除機のうち、回転清掃体を電動機で駆動する吸口体では、回転清掃体の一端側は、前記電動機からの駆動力を伝達するプーリーを備え、その外側に軸受を内蔵する軸受ユニット部を配置し、軸受ユニット部を吸口体の軸受支持部材と軸受押さえ部材によって軸支している構成が一般的である。
【０００３】
関連するものに、特開２００２―１２５８９４号公報が挙げられ、回転清掃体構成する軸受ユニット部の配置については上述した一般的な構成になっている。
【０００４】
また、また、特開平９―４７３９７号公報に記載されているように、軸受押さえ部材を吸口本体に着脱可能に保持させるロック部材の形状について、
ロック部材は、円板状の頭部と頭部から突出された円柱突起と、円柱突起の周壁面から側方に蓋体係合突起を設け、その円柱突起よりさらに突出された円筒突起を有し、その円筒突起にも周壁面から側方に蓋体係合突起を設けるように形成した吸口体が提案されている。
【０００５】
【発明が解決しようとする課題】
上記従来技術では、回転清掃体の一端側は、軸受を内蔵する軸受ユニット部を吸口体の上ケースの軸受支持部材と軸受押さえ部材によって軸支し、他端側は吸口体上下ケースにより軸受支持されている。
【０００６】
一端側は、前記電動機からの駆動力を伝達するプーリーを備え、その外側に軸受を内蔵する軸受ユニット部を配置しているため、プーリーよりも吸口体の中央側に、吸口体の上ケースと前記軸受押さえ部材とで底面閉空間を構成するようになっている。
【０００７】
そのため、吸口体の回転清掃体室、すなわち、被掃除面に開口する幅（回転清掃体の軸方向長さ）が短くなってしまい、掃除できる範囲が狭くなってしまうという問題があった。
【０００８】
また、吸口体の上ケースと前記軸受押さえ部材とで底面閉空間を構成していても、回転清掃体とプーリーは一体で回転するために、吸口体の上ケースと前記軸受押さえ部材との回動部分には、隙間が発生する。
【０００９】
したがって、その隙間に塵埃が入り込み、塵埃が蓄積して、隙間が塞がり、吸口体の上ケースと前記軸受押さえ部材との間で回転清掃体との摩擦が発生して、ケースが溶けたり、回転が低下したりするという問題があった。
【００１０】
さらに、プーリーとベルトの間の塵埃が挟み込むと、ベルトとプーリーの歯飛びが発生して、音が高くなるという問題があった。
【００１１】
さらに、プーリーを越えた塵埃は、軸受部に侵入してしまい、回転清掃体の回転を停止してしまうという問題があった。
【００１２】
また、吸口本体に軸受押さえ部材を着脱するロック部材は、頭部の他に、２段の円柱突起とその周囲にある係合突起により形成されており、
円板状の頭部と頭部から突出された円柱突起と、円柱突起の周壁面から側方に蓋体係合突起を設け、その円筒突起により、下ケースとを挟持している。また、先の円柱突起よりさらに突出された円筒突起により、ロック部材の吸口本体からの抜け止めを行っている。
【００１３】
このように、ロック部材の高さ方向の長さが長くなるため、吸口体の高さ方向が高くなり、家具のけこみ等の清掃が困難になる問題があった。
【００１４】
また、ロック部材の位置をベルト付近から遠避けて吸口体の後方に配置した場合は、吸口体端部付近の前後幅が太くなり、吸口体が大きく重たくなるという問題があった。
【００１５】
本発明は、これらの問題を解決し、小型軽量を維持し、回転ブラシのトルク向上を図り、集塵性能の良い電気掃除機を提供することにある。
【００１６】
【課題を解決するための手段】
上記目的を達成するために、本発明では、電動送風機と集塵部とを有する掃除機本体と、被掃除面に対面する開口部を有して前記集塵部に連通する吸口体とを備え、前記吸口体内に回転清掃体と、前記回転清掃体を駆動するための電動機を備え、前記回転清掃体は、筒状の基体とこの基体の外表面から突出するように設けられた清掃部材とを有し、前記回転清掃体の一端側には、前記清掃部材の位置決めをする清掃部材カバー、軸受を内蔵する軸受ユニット部とその外側に前記電動機からの駆動力を伝達するプーリーを配置し、前記プーリーと前記筒状基体とをシャフトにより勘合して固定し、前記軸受ユニットを吸口体の軸受支持部材と軸受押さえ部材によって支持し、前記電動機の回転出力軸と前記回転清掃体の一端との間にある伝達手段を、前記吸口体の軸受支持部材と前記軸受押さえ部材とで底面閉空間を構成したことにより達成される。
【００１７】
また、前記軸受押さえ部材に回転可能に保持され、且つ、前記軸受押さえ部材を前記吸口本体に着脱可能に保持させるロック部材とを備え、前記軸受押さえ部材と前記吸口本体を前記ロック部材のフランジ面にて着脱可能にしたことにより達成される。
【００１８】
【発明の実施の形態】
以下、本発明の形態例を図１から図１１の図面に従い詳細に説明する。
【００１９】
図１に本形態例による吸口体を一部切り欠いた平面図を示す。図１において、１０１は吸口体下ケース、１０２は吸口体本体内部と外部（掃除機本体）とを連通する空気通路が形成された自在継手のうち吸口体本体に対して上下方向に回動可能な第１の接続管、１０４は回転清掃体，１０５は回転清掃体１０４を駆動するための電動機、１０６は電動機１０５の駆動を制御する回路基板、１０８は電動機側プーリー、１０９は減速プーリーを構成する大プーリー、１１０は減速プーリーを構成する小プーリー、１１１は大プーリー１０９と小プーリー１１０を連結するシャフト、１１２、１１３はシャフト１１１を回転保持する軸受、１１４は回転清掃体側プーリー、１１５は小プーリー１１０と電動機側プーリー１０８と大プーリー１０９間を掛け渡す第１の駆動ベルト、１１６は小プーリー１１０と回転清掃体側プーリー１１４間を掛け渡す第２の駆動ベルト、１１７は軸受け１１２および１１３を保持し下ケース１０１に固定するための軸受けホルダーである。
【００２０】
回転清掃体１０４の一端側にある回転清掃体側プーリー１１４の内側には、軸受を内蔵する軸受ユニット部３１５は配置されている。３１６は軸受押さえ部材であり、吸口体の上ケースからの軸受支持部材と軸受押さえ部材３１６の軸受支持部３１６ａによって支持し、電動機１０５の回転出力軸と回転清掃体１０４の端部にある駆動ベルト１１６を、吸口体の上下ケースと軸受支持部材と軸受押さえ部材３１６の軸受支持部３１６ａとで閉空間を形成している。
【００２１】
また、回路基板１０６の前方側、つまり回転清掃体室の後壁面には、回路基板を冷却するための開口部１２０が形成され、その開口部１２０を覆うように凸部材１２２が取り付けられている。尚、その開口部１２１からの塵埃の侵入を防ぐために開口部１２０と凸部材１２２の間にフィルタ１２１が設置されている。
【００２２】
また、回路基板１０６、安全スイッチ１０７および電動機１０５は、吸口下ケース１０１内に配設したリード線にて接続されている。
【００２３】
電動機１０５によって発生された駆動力を大プーリー１０９と小プーリー１１０を連結するシャフト１１１を介して回転清掃体１０４の回転軸端部に伝達する伝達機構を（手段）を構成している。
【００２４】
尚、図１には図示していないが、吸口体下ケース１０１の上側には、吸口体上ケースが回転清掃体１０４を覆うように、吸口体下ケース１０１に対して着脱可能に設けられ、この吸口体上ケースと吸口体下ケース１０１とで、回転清掃体１０４が収容される回転清掃体室を構成する。また、吸口体下ケース１０１の被清掃面と対向する面には、回転清掃体１０４と被清掃面との接触を可能とし、被掃除面上の塵埃を吸引するための開口１１８が形成されている。
【００２５】
図１において、回転清掃体１０４の回転軸に沿う方向を吸口体の左右方向と呼び、この左右方向は通常吸口体の長手方向と一致する。また、吸口体の上下方向に関しては、吸口体を水平な床面上に置いた状態で、開口１１８が形成された側を下面側、反対側を上面側と呼ぶ。また、吸口の進行方向側を前方側、後退方向側を後方側として説明する。
【００２６】
図２に本形態例による電気掃除機の外観図を示す。図２において、２０１は後部に吸口体本体が集塵するのに必要な吸気風を発生させる電動送風機（図示せず）を内蔵し、前部には塵埃を集塵する集塵室（図示せず）を内蔵した電気掃除機本体、２０２は電気掃除機本体２０１に接続され、柔軟に可動するように形成されたホース体、２０３は前記ホース体２０２に接続されて前記電気掃除機本体２０１や吸口体本体２０６を制御する手元スイッチ２０４を内蔵し、ホース体２０２と延長管２０５と連通する流路（図示せず）を持つハンドルグリップである。また、ホース体２０２とハンドルグリップ２０３及び延長管２０５には、吸口体本体２０６に電気を供給する給電線（図示せず）が内蔵されている。
【００２７】
図３に本形態例による回転清掃体１０４の断面図を示す。３１１は筒状基体、３１２は清掃部材であり、刷毛の他、軟質のブレード状のものを用いて構成することができ、刷毛やブレードをそれぞれ単独で、或いは刷毛とブレードとを混在させて構成することができる。また、筒状基体３１１を形成する部材で一体に成形した突出部で清掃部材（清掃部）を構成してもよい。いずれにしても、清掃部材（清掃部）は筒状基体３１１の外周面から外方に突出するように構成される。
【００２８】
また、３１４は清掃部材３１２を位置決めする清掃部材カバー、３１８は軸受、３１５、３１７は軸受３１８を内蔵する軸受ユニットである。
【００２９】
回転清掃体１０４の一端側には、清掃部材カバー３１４、軸受ユニット部３１５が吸口体の外側の向かって配置され、さらにその外側に電動機１０５からの駆動力を伝達するプーリー１１４を配置し、プーリー１１４と筒状基体３１１とをシャフト３１３により勘合して固定している。
【００３０】
図４に本形態例による吸口本体の下面図を示す。１１８は吸口体下ケース１０１に設けられた床面開口で、被掃除面に面する。３０１はバンパー、３０２は前方車輪、３０３は後方車輪である。１０３は自在継手のうち前記第１の接続管に対して左右方向に回動可能な第２の接続管、１０７は吸口体を持ち上げたときに自動的に停止するための安全スイッチであり、１０７ａは被掃除面に設置されているかを検出するための床面検出車輪である。３１６は軸受押さえ部材であり、７０１は軸受押さえ部材３１６に回転可能に保持され、且つ、軸受押さえ部材３１６を吸口本体の下ケース１０１に着脱可能に保持させるロック部材である。
【００３１】
図５に本形態例による吸口体の回転清掃体側プーリー１１４付近の部分拡大平面図を示し、図６に図５のＡ−Ａ断面図を示す。
【００３２】
軸受ユニット部３１５は、吸口体の上ケース４０２からの軸受支持部材４０２ａと軸受押さえ部材３１６の軸受支持部３１６ａによって支持され、電動機１０５から発生された駆動力を回転清掃体１０４の回転軸端部に伝達する駆動ベルト１１６を、吸口体の軸受支持部材４０２ａと軸受押さえ部材３１６の軸受支持部３１６ａとで閉空間を構成している。
【００３３】
図７に本形態例による吸口体のロック部材７０１の斜視図であり、（ａ）は上面方向、（ｂ）は下面方向を示す。ロック部材７０１は、円板状の頭部と頭部から突出された円柱突起７０２と、円柱突起７０２の周壁面から側方に蓋体係合突起７０２ａ、７０２ｂを設け、その円柱突起７０２よりさらの上方に周壁面から側方に蓋体係合突起７０２ｃと７０２ｄを設けている。７０１ａはロック部材７０１の頭部に着脱操作用のスリット、７０１ｂは吸口体の下ケース１０１や軸受押さえ部材３１６を保持するためのフランジ部である。
【００３４】
図８に本形態例による吸口体の軸受押さえ部材３１６付近の下面拡大図であり、図９に図８のＢ−Ｂ断面図を示す。図８、図９はロック部材７０１によるロック状態を示す。
【００３５】
円柱突起７０２の周壁面から側方に突出した蓋体係合突起７０２ａと、ロック部材７０１のフランジ面７０１ｂとにより、下ケース１０１を挟持している。一方、軸受押さえ部材３１６はロック部材７０１のフランジ面７０１ｂと、下ケース１０１の軸受支持部材１０１ａとで挟持されている。また、円柱突起７０２の最上方にある周壁面から側方に突出された蓋体係合突起７０２ｃと７０２ｄにより、ロック部材７０１を吸口本体からの抜け止めを行っている。
【００３６】
図１０に本形態例による吸口体の軸受押さえ部材３１６付近の下面拡大図であり、図１１に図１０のＣ−Ｃ断面図を示す。図１０、図１１はロック部材７０１によるロック開放状態を示す。
【００３７】
円柱突起７０２の周壁面から側方に突出した蓋体係合突起７０２ｂと、ロック部材７０１のフランジ面７０１ｂとにより、下ケース１０１を挟持している。一方、軸受押さえ部材３１６はロック部材７０１の頭部円板状の切り欠き部が位置するため、下ケース１０１から着脱することができる。
【００３８】
次に本形態例の動作を説明する。掃除機使用者がハンドルグリップ２０３付近に配置されたスイッチ操作部２０４を操作すると、操作されたスイッチに従った動作モードで電気掃除機本体２０１内の電動送風機が運転する。電動送風機によって発生した吸引力は、ホース体２０２、延長管２０５を通って吸口体２０６に到達する。それと同時に、ホース体２０２および延長管２０５に設けられた電源線から供給された電源が、回路基板１０６を介して電動機１０５を駆動する。
【００３９】
電動機１０５のシャフトに取り付けられた小プーリー１０８と第１の駆動ベルト１１５により、大プーリー１０９が駆動される。このとき、小プーリー１０８の外径より大プーリー１０９の外径を大きくすることにより、大プーリー１０９の回転数は、プーリー１０８の回転数より小さくなると同時に回転トルクは増大する。
【００４０】
そして、シャフト１１１により連結された小プーリー１１０と第２の駆動ベルト１１６により、回転清掃体側プーリー１１４が駆動される。このとき、小プーリー１１０の外径より回転清掃体歯ワプーリー１１４の回転数は、小プーリー１１０の回転数より小さくなると同時に回転トルクはさらに増大する。
このように、本形態例では、回転清掃体の回転トルクを大きくできるので、毛足の長い絨毯などの被掃除面からの負荷抵抗が大きい場合でも回転清掃体を回転させることができる。
【００４１】
また、電動機１０５の回転軸と、回転清掃体１０４の回転軸との間に、減速プーリーを配設しているので、吸口体の前後幅を短くすることができる。
【００４２】
回転清掃体１０４の一端側にある回転清掃体側プーリー１１４の内側には、軸受を内蔵する軸受ユニット部３１５は配置され、吸口体の上ケースからの軸受支持部材と軸受押さえ部材３１６の軸受支持部３１６ａによって支持し、さらに、回転清掃体１０４の端部にあるプーリー１１４を含む駆動ベルト１１６を、吸口体の軸受支持部材１０１ａと軸受押さえ部材３１６の軸受支持部３１６ａとで底面閉空間を構成している。
【００４３】
したがって、図４に示すように、吸口体の回転清掃体室、すなわち、被掃除面に開口する幅Ｌ（回転清掃体の軸方向長さ）を長くすることできるので、掃除できる範囲が広くできる効果がある。
【００４４】
また、吸口体の上ケース４０２および下ケース１０１と、軸受押さえ部材３１６とで閉空間を構成しているので、回転清掃体室との隙間が発生しない。
【００４５】
したがって、その隙間から塵埃が侵入する心配がないので、塵埃の蓄積による回転清掃体の回転の低下や、プーリーとベルトの間の塵埃が挟み込む際に起こるベルトとプーリーの歯飛びによる騒音増大、軸受部に塵埃侵入による回転清掃体の回転停止などの不具合を改善できる。
【００４６】
また、電動機１５と安全スイッチ１０７を吸口体の中央付近に配設しているので、吸口体の左右方向のバランスがよくなる。
【００４７】
また、安全スイッチ１０７が重量の重い電動機１０５の直ぐ後方に位置しているため、吸口体を被掃除面に押し付けなくても、置いただけで回転清掃体が回転するので、操作時の手の負担が軽減される。
【００４８】
また、吸口本体に軸受押さえ部材を着脱するロック部材７０１は、円板状の頭部と頭部から突出された円柱突起７０２と、円柱突起７０２の周壁面から側方に蓋体係合突起７０２ａ、７０２ｂを設け、その円柱突起７０２よりさらの上方に周壁面から側方に蓋体係合突起７０２ｃと７０２ｄを設けている。
【００４９】
したがって、ロック部材７０１の高さ方向の長さが短くなるため、吸口体の高さ方向を低くすることができ、ロック部材の位置をベルト付近に配置できるので、吸口体端部付近の前後幅が細くなり、吸口体の取り回しが容易で、また、前後幅が狭くなる分、軽くすることができる。
【００５０】
【発明の効果】
本発明によれば、吸口体が小型軽量で、吸口体の被掃除面に開口する幅（回転清掃体の軸方向長さ）を長くすることできるので、掃除できる範囲が広くできる効果がある。また、吸口体端部付近の前後幅が細く使い易くすることができるという効果がある。
【図面の簡単な説明】
【図１】本発明による吸口体の一部を切り欠いた平面図である。
【図２】本発明による電気掃除機の外観図である。
【図３】本発明による回転清掃体の断面図である。
【図４】本発明による吸口体本体を下から見たときの平面図である。
【図５】本形態例による吸口体の回転清掃体側プーリー付近の部分拡大平面図である。
【図６】図５のＡ−Ａ断面図である。
【図７】本形態例による吸口体のロック部材の斜視図である。
【図８】本形態例による吸口体の軸受押さえ部材付近の下面拡大図である。
【図９】図８のＢ−Ｂ断面図である。
【図１０】本形態例による吸口体の軸受押さえ部材付近の下面拡大図である。
【図１１】図１０のＣ−Ｃ断面図である。
【符号の説明】
１０１…吸口体下ケース、１０４…回転清掃体、１０５…電動機、１１４…回転清掃体側プーリー、１１６…駆動ベルト、２０６…吸口本体、３０１…吸口体上ケース、３１６…軸受押さえ部材、３１８…軸受、７０１…ロック部材。
【図１】
2004016605.tif 000003
【図２】
2004016605.tif 000004
【図３】
2004016605.tif 000005
【図４】
2004016605.tif 000006
【図５】
2004016605.tif 000007
【図６】
2004016605.tif 000008
【図７】
2004016605.tif 000009
【図８】
2004016605.tif 000010
【図９】
2004016605.tif 000011
【図１０】
2004016605.tif 000012
【図１１】
2004016605.tif 000013